(57)【特許請求の範囲】
【請求項１】
電気機器本体を収納した容器と、電気機器本体からのリードを引き出すためのブッシングを有する電気機器において、
前記ブッシングに接続されるケーブルと、前記容器に取り付けられ前記ケーブルを支持するケーブル支持部材と、前記ケーブルを保護するケーブルダクトとを有し、
前記ケーブル支持部材の一部分が前記ケーブルダクトを貫通して前記容器と接合されていることを特徴とする電気機器。
【請求項２】
ケーブル支持部材は、ケーブルの荷重と併せてケーブルダクトの荷重も支持する構造であることを特徴とする請求項１記載の電気機器。
【請求項３】
ケーブル支持部材がケーブルダクトを貫通する部位に弾性部材を用いることを特徴とする請求項１記載の電気機器。
【発明の詳細な説明】
【０００１】
【発明の属する技術分野】
本発明は、機器本体を収納した容器と、機器本体からのリードを引き出すためのブッシングとを有する電気機器に関する。
【０００２】
【従来の技術】
図９は上記電気機器の一例である変圧器の従来構成を示すものである。
【０００３】
変圧器本体１を収納した容器２には変圧器本体１からのリード３を引き出すためのブッシング４が取り付けられている。ブッシング４には他の機器へ接続するためのケーブル５が接続されている。そのケーブル５を保護するためにケーブルダクト６が取り付けられている。前記ケーブル５を支持するためにケーブルダクト６にケーブル支持部材７が取り付けられ、また、前記ケーブルダクト６を支持するために容器２にケーブルダクト支持部材８が取り付けられている。
【０００４】
【発明が解決しようとする課題】
上述したような電気機器において、ケーブルは電磁機械力による影響で振動することやそれ自体重量物であるため固定する必要がある。そのため、まずケーブルはケーブル支持部材でケーブルダクトに支持され、次にそのケーブルダクトをケーブルダクト支持部材で容器が支持するといった支持構造になっている。このためケーブルダクト自体にも強度を持たせる必要があり。、結果として重量のある構造物となっている。
【０００５】
また、ケーブル支持部材、ケーブルダクト支持部材それぞれの取付座が必要となり、ケーブルダクト内部、ケーブルダクト外部、容器外部の3ヶ所に座などの取り付け作業の必要があることや、重量構造物を取り扱うため作業性が悪くなるといった複雑な支持構造となっていた。
【０００６】
【課題を解決するための手段】
このような課題をかいけつするために、
請求項１記載の電気機器は、電気機器本体を収納した容器と、電気機器本体からのリードを引き出すためのブッシングを有する電気機器において、前記ブッシングに接続されるケーブルと、前記容器に取り付けられ前記ケーブルを支持するケーブル支持部材と、前記ケーブルを保護するケーブルダクトとを有し、前記ケーブル支持部材の一部分が前記ケーブルダクトを貫通して前記容器と接合されていることを特徴とした。
【０００７】
請求項２記載の電気機器は、ケーブル支持部材には、ケーブルの荷重と併せてケーブルダクトの荷重も支持する構造であることを特徴とした。
【０００８】
また、請求項３記載の電気機器は、ケーブル支持部材がケーブルダクトを貫通する部位に弾性部材を用いることを特徴とした。
【００１４】
このような電気機器を使用すると、以下のような効果が得られる。
ケーブルは電磁機械力による影響で振動することやそれ自体重量物であるため固定する必要がある。ケーブルを支持するためのケーブル支持部材の少なくとも一部がケーブルダクトを貫通して容器と接合することにより、容器から直接ケーブルを支持することが出来る。これにより、ケーブルダクト自体にケーブルを支えるだけの強度を持たせる必要が無くなる。結果として、ケーブルダクトの軽量化につながる効果が得られる。
また、ケーブルダクトの軽量化や支持構造の簡素化により作業性の向上にもつながる。
【００１５】
請求項２以降に記載の電気機器によれば、電気機器自体の構成は同じ為、請求項１と同様の効果が得られる。
【００１６】
その他に請求項２以降に記載の電気機器では、次の作用を有する。
【００１７】
請求項２記載の電気機器によれば、
ケーブル支持部材により、ケーブルの荷重とあわせてケーブルダクトの荷重も支持することで、ケーブルダクトを支える為の支持部材が不要となり、このため軽量化できる効果が得られる。
また直接容器からケーブルを支えることが出来るため、支持構造の簡素化につながる効果も得られる。
また、ケーブルダクト自体でケーブルダクト自身を支える必要も無くなるので、請求項１の効果が大きくなる。
また、その軽量化による作業性の向上、コストダウンの効果も得られる。
【００１８】
請求項３記載の電気機器によれば、
ケーブル支持部材がケーブルダクトを貫通する部位に弾性部材を用いることで、ケーブルダクト取付時の寸法調整を容易にできる効果がある。
【００１９】
また、弾性部材を用いていることから、電気機器からの振動を吸収する効果がある。
【００２８】
【発明の実施の形態】
以下、本発明の第１及び第２実施例を図１に基づいて説明する。
【００２９】
電気機器本体たる変圧器本体１を収納した容器２に変圧器本体１からのリード３を引き出すためのブッシング４が取り付けられている。ブッシング４には他の機器へ接続するためのケーブル５が接続され、そのケーブル５を保護するためにケーブルダクト６が取り付けられている。前記ケーブル５を支持するためにケーブル支持部材７の少なくとも一部がケーブルダクト６を貫通して、容器２に接合されている。
【００３０】
ケーブル５は電磁機械力による影響で振動することやそれ自体重量物であるためケーブル支持部材７により固定する必要がある。ケーブル５を支持するためのケーブル支持部材７の少なくとも一部がケーブルダクト６を貫通して容器２と接合することにより、容器２から直接ケーブル５を支持することが出来る。これにより、ケーブルダクト６自体にケーブル５を支えるだけの強度を持たせる必要が無くなり、結果として、ケーブルダクト６の軽量化につながる。また、ケーブルダクト６の軽量化や支持構造の簡素化により作業性の向上、コストダウンにもつながる。ケーブル支持部材７により、ケーブル５の荷重とあわせて、ケーブルダクト６の荷重も支持されている。これによって、ケーブルダクト６を支えるための支持部材が不要となり、支持構造の簡素化が可能となる。よって軽量化につながる。また、ケーブルダクト６自体でケーブルダクト６自身を支える必要も無くなる。また、その軽量化による作業性の向上、コストダウンの効果も得られる。
【００３１】
次に、第３実施例を図２に基づいて説明する。なお、上記第１、第２実施例と同一の部材については同一符合を付して説明を省略し、以下、異なる部材についてのみ説明を行なう。
ケーブル支持部材７がケーブルダクト６を貫通する箇所には、弾性部材であるクッション９を用いている。
【００３２】
ケーブル支持部材７がケーブルダクト６を貫通する箇所には、弾性を有する材料からなるクッション９を用いることによって、ケーブルダクト６取付時の寸法調整を容易にできる効果がある。
【００３３】
また、クッション９を用いていることから、電気機器からの振動を吸収する効果がある。
【００３４】
次に、第４実施例を図３に基づいて説明する。なお、上記第１乃至第３実施例と同一の部材については同一符合を付して説明を省略し、以下、異なる部材についてのみ説明を行なう。
【００３５】
ケーブルダクト６側面の一部を容器２の側面と共有し、このため、ケーブルダクト６が直接容器側面に取り付くため、請求項1記載の電気機器に比べてケーブルダクト６の構成部材を更に減らすことができるので、軽量化につなが。
【００３６】
また、ケーブル支持部材７はケーブルダクト６を支える必要がないので、ケーブル５を支える強度のみを持たせるだけでいいため、さらに軽量化につながる。
【００３７】
また、容器２にケーブルダクト６が直接取り付き、ケーブルダクト６を支持する支持部材のスペースが不要となるため省スペース化につながる効果が得られ、軽量化による作業性の向上、コストダウンの効果も得られる。
【００３８】
次に、第５実施例を図４に基づいて説明する。なお、上記第１乃至第４実施例と同一の部材については同一符合を付して説明を省略し、以下、異なる部材についてのみ説明を行う。
【００３９】
この第５実施例においては、ケーブルダクト６側面の一部を容器２の剛性を向上するために取り付けられた補強部材１０と共有している。このため、ケーブルダクト６の構成部材を減らすことができる。
【００４０】
次に、第６実施例を図５に基づいて説明する。
【００４１】
ケーブルダクト６側面の一部を容器２の延長した容器側板１１と共有している。このことにより、ケーブルダクト４の構成部材を減らすことができる。
【００４２】
次に、第７実施例を図６に基づいて説明する。
【００４３】
この第７実施例においては、ブッシング４を容器２から下向きに取り付けている。
ブッシング４を容器２から下向きに取り付けることで、ケーブルダクト６を容器２の上部から取りまわす必要がなくなるので、ケーブルダクト６の構成部材を減らすことができる。
また、ケーブルダクト６を容器２側面に直接取り付けることができるので、ケーブルダクト６を支持する支持部材のスペースが不要なため省スペース化につながる。
【００４４】
また、ケーブル支持部材７にはケーブル５を支える強度のみ持たせればよいため、ケーブル支持部材７の軽量化につながるという効果が得られる。
【００４５】
次に、第８実施例を図７に基づいて説明する。
【００４６】
第７実施例と構成は同様のもので、ブッシング４碍子部分のひだ形状を逆にして４aの様な形状としている。
【００４７】
ブッシング４碍子部分のひだ形状を逆にすることで、碍子部分のくぼみが下向きになり、水分や埃などがたまりにくい形状となるため、電気機器のブッシング２に生じる結露などにより汚損する可能性を更に低減できる。
【００４８】
次に、第９実施例を図８に基づいて説明する。
【００４９】
容器２の基台に設置されたケーブル支持部材７によりケーブル５を支持する。このようにすることによって、容器２に支持部材を取り付ける必要がなくなることから、軽量化につながる。また、ケーブル支持部材７を容器２に取り付ける必要がないので、支持構造の簡素化につながる。
【００５０】
なお、上記第１乃至第９実施例においては、電気機器本体として、変圧器を例示したが、これに限定されるものではなく、例えばリアクトル、変成器等でも良い。
【００５１】
【発明の効果】
以上の説明から明らかなように、本発明の電気機器は次の効果を奏する。
【００５２】
請求項１記載の手段によれば容器から直接ケーブルを支持することが出来るため、ケーブルダクト自体にケーブルを支えるだけの強度を持たせる必要が無くなる。結果として、ケーブルダクトの軽量化につながる。また、ケーブルダクトの軽量化や支持構造の簡素化により作業性の向上にもつながる。
【００５３】
請求項２記載の手段によれば、ケーブルダクトを支える為の支持部材が不要となり、支持構造の簡素化が可能となる。このため軽量化できる。また、ケーブルダクト自体でケーブルダクトを支える必要も無くなるので、請求項１の効果が大きくなる。また、その軽量化による作業性の向上、コストダウンの効果も得られる。
【００５４】
請求項３記載の手段によれば、弾性部材には柔軟性があるため、ケーブルダクト取付時の寸法調整を容易にできるとともに、電気機器からの振動を吸収する効果がある。
【図面の簡単な説明】
【図１】  本発明の第１及び第２実施例を示す概略図
【図２】  発明の第３実施例を示す概略図
【図３】本発明の第４実施例を示す概略図
【図４】本発明の第５実施例を示す概略図
【図５】本発明の第６実施例を示す概略図
【図６】本発明の第７実施例を示す概略図
【図７】本発明の第８実施例を示す概略図
【図８】本発明の第９実施例を示す概略図
【図９】従来例を示す図１相当図
【符号の説明】
１：変圧器本体（電気機器本体）、２：容器、３：リード、４：ブッシング、
５：ケーブル、６：ケーブルダクト、７：ケーブル支持部材、
８：ケーブルダクト支持部材、９：クッション（弾性部材）、１０：補強部材、
１１：容器側板
【図１】
0004201961.tif 000002
【図２】
0004201961.tif 000003
【図３】
0004201961.tif 000004
【図４】
0004201961.tif 000005
【図５】
0004201961.tif 000006
【図６】
0004201961.tif 000007
【図７】
0004201961.tif 000008
【図８】
0004201961.tif 000009
【図９】
0004201961.tif 000010